(57)【要約】【課題】サイレントチェーンの利点とローラチェーンの利点とを備え、摩耗伸び、強度低下を防止することができ、低騒音化、軽量化を図ることができるハイブリッドチェーンを用いたチェーン伝動装置を提供すること。【解決手段】チェーン伝動装置は、一対の外リンクプレート２を有する外リンク５と、一対の内リンクプレート６及びローラ８を有する内リンク１０とからなるハイブリッドチェーン１が、ローラ８が噛み合うセンタースプロケット１３とサイドスプロケット１４とを備えた複合スプロケット１２に巻掛けられてなる。リンクプレート２，６は一対の歯１１を有し、歯の外側フランク１１ａは、リンクプレート２，６の一対のピン孔３又はブシュ孔７のうち遠方側に位置する方のピン孔又はブシュ孔を中心とした円弧形状に形成されている。【選択図】図３
2009103185.tif 000002
【特許請求の範囲】
【請求項１】
一対の外リンクプレートのピン孔に連結ピン両端部を嵌入固定した外リンクと、一対の内リンクプレートのブシュ孔に、ローラが遊嵌されたブシュを嵌入固定した内リンクとが、前記ブシュに前記連結ピンが遊嵌されることにより連結されてなる無端状のハイブリッドチェーンが、複合スプロケットに巻掛けられてなるチェーン伝動装置において、
前記ハイブリッドチェーンを構成する外リンク及び内リンクの各リンクのうち、少なくとも一方のリンクを構成するリンクプレートは、一対の歯を有すると共に、該一対の歯の両外側フランクが前記一対のピン孔又はブシュ孔のうち遠方側に位置する方のピン孔又はブシュ孔を中心とした円弧形状に形成された歯付きリンクプレートであり、
前記複合スプロケットは、センタースプロケットと、該センタースプロケットの両側に配置されたサイドスプロケットとを備え、該センタースプロケットには前記ハイブリッドチェーンのローラが噛み合い、該サイドスプロケットには前記歯付きリンクプレートが噛み合うことを特徴とするチェーン伝動装置。
【請求項２】
前記ハイブリッドチェーンを構成する外リンク及び内リンクの全てのリンクプレートが、前記歯付きリンクプレートであることを特徴とする請求項１記載のチェーン伝動装置。
【請求項３】
前記ハイブリッドチェーンを構成する外リンク及び内リンクの各リンクのうち、いずれか一方のリンクを構成するリンクプレートが前記歯付きリンクプレートであり、他方のリンクを構成するリンクプレートが歯を備えていない略小判形状のリンクプレートであることを特徴とする請求項１記載のチェーン伝動装置。
【請求項４】
前記外リンク及び前記内リンクを構成するリンクプレートのうち、前記歯付きリンクプレートは、背面側にも一対の歯を有し、該歯の両外側フランクが前記一対のピン孔又はブシュ孔のうち遠方側に位置する方のピン孔又はブシュ孔を中心とした円弧形状に形成されている両面歯付きリンクプレートであることを特徴とする請求項１乃至３のいずれかに記載のチェーン伝動装置。
【請求項５】
前記ハイブリッドチェーンが複合スプロケットに巻きつき噛み合って進行する際、前記歯付きリンクプレートの進行方向後方に位置する歯の外側フランクがサイドスプロケットの歯に接触して噛合い始めた後、ローラがセンタースプロケットの歯に接触して歯底に入り込んで着座すると共に、歯付きリンクプレートもサイドスプロケットに噛み合って着座することを特徴とする請求項１乃至４のいずれかに記載のチェーン伝動装置。
【発明の詳細な説明】
【技術分野】
【０００１】
本発明は、スプロケットに巻掛けられたチェーンにより動力を伝達するチェーン伝動装置、例えば、４サイクルエンジンの動弁系やオイルポンプなどの補機等の従動軸を駆動するのに適したチェーン伝動装置に関し、特に、所謂ローラチェーン及びサイレントチェーンの各機能を兼ね備えたハイブリッドチェーンを用いたチェーン伝動装置に関する。
【背景技術】
【０００２】
所謂ローラチェーンを用いたチェーン伝動装置、あるいは所謂サイレントチェーンを用いたチェーン伝動装置は周知である。また、従来、サイレントチェーンとローラチェーンとを組み合わせた複合チェーンと、この複合チェーンが噛み合う歯を有するスプロケットとからなる複合チェーン伝動装置は公知である（特許文献１参照。）。
【０００３】
前記従来の複合チェーン伝動装置に用いる複合チェーン３１は、図７に示すように、中央にローラ３４を有するローラチェーン３３を配置し、その両外側にサイレントチェーン３２を配置してそれぞれのリンクを連結ピン３５により連結したものである。
【特許文献１】特公昭５９−３０９３６号公報
【発明の開示】
【発明が解決しようとする課題】
【０００４】
前記周知のサイレントチェーンを用いたチェーン伝動装置は、サイレントチェーンがローラチェーンより高強度化、低騒音化の点で有利である反面、リンクプレートのピン孔と連結ピンとが回転摺動するため、ローラチェーンに比べて連結ピンの摩耗による伸びが大きい、という問題があり、また、周知のローラチェーンを用いたチェーン伝動装置は、ローラチェーンが疲れ強さ、耐摩耗伸びに優れている反面、ローラの高強度化がネックとなってチェーンの高強度化が困難であると共に、噛合い時にローラがスプロケット歯の歯底側に直接入り込むため、サイレントチェーンに比べてスプロケットへの噛合い時における騒音が大きい、という問題がある。
【０００５】
また、前記従来の複合チェーン伝動装置は、複合チェーンが中央にローラを有するローラチェーンを配置し、サイレントチェーンを両外側に配置したものであり、チェーン幅方向にローラチェーンの４枚のリンクプレートと、サイレントチェーンの４枚のリンクプレートとが配置されるため、チェーン幅が大きく、チェーン自体の質量も大となる、という問題がある。さらに、サイレントチェーンは、リンクプレートの歯の両外側フランクが円弧形状でないため、スプロケット歯に両外側フランクが食い込んで噛合いが外れ難い、という問題がある。
【０００６】
本発明は、従来技術における問題を解決し、サイレントチェーンの利点とローラチェーンの利点とを備え、摩耗伸び、強度低下を防止することができ、低騒音化、軽量化を図ることができるハイブリッドチェーンを用いたチェーン伝動装置を提供することを目的とする。
【課題を解決するための手段】
【０００７】
請求項１に係る本発明は、一対の外リンクプレートのピン孔に連結ピン両端部を嵌入固定した外リンクと、一対の内リンクプレートのブシュ孔に、ローラが遊嵌されたブシュを嵌入固定した内リンクとが、前記ブシュに前記連結ピンが遊嵌されることにより連結されてなる無端状のハイブリッドチェーンが、複合スプロケットに巻掛けられてなるチェーン伝動装置において、前記ハイブリッドチェーンを構成する外リンク及び内リンクの各リンクのうち、少なくとも一方のリンクを構成するリンクプレートは、一対の歯を有すると共に、該一対の歯の両外側フランクが前記一対のピン孔又はブシュ孔のうち遠方側に位置する方のピン孔又はブシュ孔を中心とした円弧形状に形成された歯付きリンクプレートであり、前記複合スプロケットは、センタースプロケットと、該センタースプロケットの両側に配置されたサイドスプロケットとを備え、該センタースプロケットには前記ハイブリッドチェーンのローラが噛み合い、該サイドスプロケットには前記歯付きリンクプレートが噛み合うチェーン伝動装置、という構成により前記課題を解決したものである。
【０００８】
請求項２に係る本発明は、請求項１に係る本発明のチェーン伝動装置において、前記ハイブリッドチェーンを構成する外リンク及び内リンクの全てのリンクプレートが、前記歯付きリンクプレートである、という構成としたものである。
【０００９】
請求項３に係る本発明は、請求項１に係る本発明のチェーン伝動装置において、前記ハイブリッドチェーンを構成する外リンク及び内リンクの各リンクのうち、いずれか一方のリンクを構成するリンクプレートが前記歯付きリンクプレートであり、他方のリンクを構成するリンクプレートが歯を備えていない略小判形状のリンクプレートである、という構成としたものである。
【００１０】
請求項４に係る本発明は、請求項１乃至３のいずれかに係る本発明のチェーン伝動装置において、前記外リンク及び前記内リンクを構成するリンクプレートのうち、前記歯付きリンクプレートは、背面側にも一対の歯を有し、該歯の両外側フランクが前記一対のピン孔又はブシュ孔のうち遠方側に位置する方のピン孔又はブシュ孔を中心とした円弧形状に形成されている両面歯付きリンクプレートである、という構成としたものである。
【００１１】
請求項５に係る本発明は、請求項１乃至４のいずれかに係る本発明のチェーン伝動装置において、前記ハイブリッドチェーンが複合スプロケットに巻きつき噛み合って進行する際、前記歯付きリンクプレートの進行方向後方に位置する歯の外側フランクがサイドスプロケットの歯に接触して噛合い始めた後、ローラがセンタースプロケットの歯に接触して歯底に入り込んで着座すると共に、歯付きリンクプレートもサイドスプロケットに噛み合って着座する、という構成としたものである。
【発明の効果】
【００１２】
請求項１，２に係る本発明によれば、チェーン伝動装置のチェーンが、一対の外リンクプレートのピン孔に連結ピン両端部を嵌入固定した外リンクと、一対の内リンクプレートのブシュ孔に、ローラが遊嵌されたブシュを嵌入固定した内リンクとが、前記ブシュに前記連結ピンが遊嵌されることにより連結されてなる無端状のハイブリッドチェーンであるので、連結ピンとブシュの面圧が小さく、リンクの屈曲運動も円滑に行われるため、チェーンの摩耗伸びを抑制することができる。さらに、ハイブリッドチェーンが一対の外リンクプレートからなる外リンクと、一対の内リンクプレートからなる内リンクとで構成されているため、チェーンの幅方向、すなわち一つの列に配置されるリンクプレートは４枚であるから、前記従来の複合チェーンに比べてチェーン幅を狭くできると共に、チェーンの軽量化及びコスト低減を図ることができる。
【００１３】
複合スプロケットに巻掛けられるハイブリッドチェーン１のリンクを構成するリンクプレートが、一対の歯を有すると共に、該一対の歯の両外側フランクが前記一対のピン孔又はブシュ孔のうち遠方側に位置する方のピン孔又はブシュ孔を中心とした円弧形状に形成された歯付きリンクプレートであるので、ハイブリッドチェーンが複合スプロケットに巻き付くとき、ローラがセンタースプロケットに噛み合う前に、歯付きリンクプレートがサイドスプロケットに噛み合っているため、ローラが噛み合うときの衝撃が緩和され、騒音、振動を抑制することができる。また、前記ハイブリッドチェーンを構成する外リンク及び内リンクの全てのリンクプレートが、前記歯付きリンクプレートである場合（請求項２）、ハイブリッドチェーンが複合スプロケットに巻き付くとき、全てのリンクプレートの歯の外側フランクがサイドスプロケット歯に順次連続的に接触して噛合い始めるため、噛合い開始時におけるチェーンの弦振動、騒音をさらに抑制することができる。
【００１４】
前記ハイブリッドチェーンを構成する歯付きリンクプレートは、一対の歯を有すると共に、該一対の歯の両外側フランクが前記一対のピン孔又はブシュ孔のうち遠方側に位置する方のピン孔又はブシュ孔を中心とした円弧形状に形成されているので、サイドスプロケットと歯付きリンクプレートとの噛み合いを円滑に行わせることができると共に、ハイブリッドチェーンが複合スプロケットに巻き付くとき、サイドスプロケットの歯に外側フランクが円弧に沿って接触し乍ら噛み合うため、噛み合いはじめから終了まで一定した力でサイドスプロケット歯に接触させることができる。
【００１５】
また、歯付きリンクプレートの外側フランクが円弧形状に形成されているので、噛み合い終了時にリンクプレートの歯がセンタースプロケット歯に食い込んで外れにくくならず、噛み外れを滑らかにすることができる。
【００１６】
請求項３に係る本発明によれば、前記ハイブリッドチェーンを構成する外リンク及び内リンクの各リンクのうち、いずれか一方のリンクを構成するリンクプレートが前記歯付きリンクプレートであり、他方のリンクを構成するリンクプレートが歯を備えていない略小判形状のリンクプレートであるので、リンクプレートとして歯のない略小判形状のリンクプレートを用いることにより、ハイブリッドチェーンのさらなる軽量化を図ることができる。
【００１７】
請求項４に係る本発明によれば、前記外リンク及び前記内リンクを構成するリンクプレートのうち、前記歯付きリンクプレートは、背面側にも一対の歯を有し、該歯の両外側フランクが前記一対のピン孔又はブシュ孔のうち遠方側に位置する方のピン孔又はブシュ孔を中心とした円弧形状に形成されているので、ハイブリッドチェーンを両面噛合い型のチェーンとして用いることができる。
【００１８】
請求項５に係る本発明によれば、前記ハイブリッドチェーンが複合スプロケットに巻きつき噛み合って進行する際、前記歯付きリンクプレートの進行方向後方に位置する歯の外側フランクがサイドスプロケットの歯に接触して噛合い始めた後、ローラがセンタースプロケットの歯に接触して歯底に入り込んで着座すると共に、歯付きリンクプレートもサイドスプロケットに噛み合って着座するので、歯付きリンクプレートの歯がサイドスプロケット歯に噛合い始めた後、ローラがセンタースプロケット歯に噛み合って着座することにより、騒音低減を図ることができると共に、サイドスプロケット歯の摩耗を抑制することができ、また、リンクプレートの一対の歯がサイドスプロケット歯に噛み合って着座した状態において、ローラがセンタースプロケット歯に着座しているため、張力によるチェーンの疲れ強さをローラチェーン並みにすることができる。
【発明を実施するための最良の形態】
【００１９】
本発明の実施例１を図１〜図６を参照して説明する。図１は本発明実施例１におけるチェーン伝動装置に用いるハイブリッドチェーンの要部を断面で示した一部平面図、図２は複合スプロケットの正面図、図３はチェーン伝動装置の一部を示し、ハイブリッドチェーンの噛合い状態を示す斜視図、図４はハイブリッドチェーンの噛合い状態の説明図、図５は図４におけるＭ部分の拡大図、図６は本発明のチェーン伝動装置で用いるリンクプレートを示し、（Ａ）は歯付きのリンクプレート、（Ｂ）は歯のない略小判形状のリンクプレート、（Ｃ）は両面歯付きのリンクプレートの側面図である。
【００２０】
この実施例１のチェーン伝動装置（図示略）は、無端状のハイブリッドチェーン１の外リンク５及び内リンク１０を構成する各リンクプレートが全て、通常サイレントチェーンに用いられているような歯付きリンクプレートからなるものである（請求項１又は２に対応する。）。以下、説明の便宜上、適宜に歯付きの外リンクプレート２を「外リンクプレート２」といい、歯付きの内リンクプレート６を「内リンクプレート６」という。
【００２１】
図１に示すように、ハイブリッドチェーン１は、一対の外リンクプレート２のピン孔３に連結ピン４の両端部を嵌入固定した外リンク５と、一対の内リンクプレート６のブシュ孔７に、ローラ８を回転自在に遊嵌したブシュ９を嵌入固定した内リンク１０とからなり、多数の外リンク５と内リンク１０とをブシュ９に連結ピン４を遊嵌することにより連結して無端状に形成されたものである。
【００２２】
外リンク５の外リンクプレート２及び内リンク１０の内リンクプレート６は、外郭形状が全く同じであり、図６（Ａ）に示すように、二股状の一対の歯１１，１１を有する歯付きリンクプレートである。この歯１１，１１は両最外に外側フランク１１ａ、１１ａ、内側に内側フランク１１ｂ，１１ｂを有し、外側フランク１１ａ，１１ａは、図６（Ａ）に示すように、一対のピン孔３，３又はブシュ孔７，７のうち遠方側に位置する方のピン孔３又はブシュ孔７を中心として半径Ｒからなる円弧形状に形成されている。
【００２３】
ハイブリッドチェーン１が巻掛けられる複合スプロケット１２は、図２に示すように、その外周中央に後記するハイブリッドチェーン１のローラ８が噛み合うセンタースプロケット１３を備えると共に、このセンタースプロケット１３を両側から挟むように設けられたサイドスプロケット１４を備えている。このサイドスプロケット１４には、各歯付きリンクプレート２，６の歯１１，１１が噛み合う。また、このセンタースプロケット１３の歯先は、サイドスプロケット１４の歯先より突出している。そして、チェーン伝動装置（図示略）は、駆動側の複合スプロケット１２と従動側の複合スプロケット１２にハイブリッドチェーン１が巻掛けられて構成される。なお、図２における符号１２ａは軸孔であり、また、センタースプロケット１３の歯形はＪＩＳ標準歯形に限らず、歯底径プラス歯形、ランダム位相歯形でもよく、サイドスプロケット１４の歯形はインボリュートが好ましいが、外側フランク１１ａが滑り込みながら噛み合う形状であればどのような形状でも構わない。
【００２４】
ここで、チェーン伝動装置のハイブリッドチェーン１の噛合い作動について説明する。ハイブリッドチェーン１が巻掛けられた駆動側の複合スプロケット１２が回動すると、ハイブリッドチェーン１は、それぞれ外リンクプレート２及び内リンクプレート６の各々の歯１１がサイドスプロケット１４に噛み合って進行する。この場合、外リンクプレート２及び内リンクプレート６は、サイドスプロケット１４に全く同じ態様で噛み合う。
【００２５】
そこで、ハイブリッドチェーン１が複合スプロケット１２に巻き付く際における噛合いの一例として、サイドスプロケット１４に噛み合うときの外リンクプレート２の噛合いについて説明する。ハイブリッドチェーン１が複合スプロケット１２に巻き付くとき、外リンクプレート２は、図４，図５に示すように、進行方向後方に位置する歯１１の外側フランク１１ａがサイドスプロケット１４の歯１４ａに円弧に沿って接触し乍ら噛合い始め、ハイブリッドチェーン１が複合スプロケット１２に巻付き外リンクプレート２が連結ピン４中心に屈曲し乍ら歯１１が歯底１４ｂ側に滑り込んでゆく途上で進行方向前方に位置する歯１１の外側フランク１１ａもサイドスプロケット１４の歯１４ａに接触し始める。次いで、ローラ８がセンタースプロケット１３の歯１３ａに接触し歯底１３ｂに入り込んで着座すると共に、外リンクプレート２の前方の歯１１もサイドスプロケット１４の歯底１４ｂ側に滑り移動し、外リンクプレート２がサイドスプロケット１４に噛み合って着座する。
【００２６】
上記のように、ローラ８が歯底１３ｂに入り込んで着座すると共に、外リンクプレート２の歯１１は、両外側フランク１１ａ，１１ａがサイドスプロケット１４の歯１４ａに接触して着座するが、この噛合い作動中及び着座時、外リンクプレート２の両内側フランク１１ｂ，１１ｂ、クロッチ部１１ｃは、いずれもサイドスプロケット１４の歯１４ａと接触しない。
【００２７】
以上、外リンク５の外リンクプレート２及び内リンク１０の内リンクプレート６の全てが歯付きリンクプレートからなるハイブリッドチェーン１の噛合い時における外リンクプレート２のみの噛合い作動について説明したが、ハイブリッドチェーン１がサイドスプロケット１４に巻き付くときの内リンクプレート６の噛合い作動も、外リンクプレート２の噛合い作動と全く同じであるから、その詳細説明は省略する。
【００２８】
ここで、チェーン伝動装置の作用効果を以下説明する。チェーン伝動装置を構成するハイブリッドチェーン１が、一対の外リンクプレート２のピン孔３に連結ピン４両端部を嵌入固定した外リンク５と、一対の内リンクプレート６のブシュ孔７に、ローラ８が遊嵌されたブシュ９を嵌入固定した内リンク１０とが、ブシュ９に連結ピン４が遊嵌されることにより連結されているので、連結ピン４とブシュ９の面圧が小さく、内外リンク５，１０の屈曲運動も円滑に行われるため、ハイブリッドチェーン１の摩耗伸びを抑制することができる。
【００２９】
ハイブリッドチェーン１が一対の外リンクプレート２からなる外リンク５と、一対の内リンクプレート６からなる内リンク１０とで構成されているため、チェーンの幅方向、すなわち一つの列に配置されるリンクプレート２，６は、内外リンクの２枚ずつ、合計４枚であるから、前記従来の複合チェーンに比べてチェーン幅を狭くできると共に、チェーンの軽量化及びコスト低減を図ることができる。
【００３０】
複合スプロケット１２に巻掛けられるハイブリッドチェーン１の外・内リンク５，１０が歯付きの内外リンクプレート６，２で構成されているので、ハイブリッドチェーン１が複合スプロケット１２に巻き付くとき、ローラ８がセンタースプロケット１３に噛み合う前に、外リンク５又は内リンク１０の歯付きリンクプレート２，６の歯１１がサイドスプロケット１４の歯１４ａに噛み合っているため、ローラ８が噛み合うときの衝撃が緩和され、騒音、振動を抑制することができる。また、ハイブリッドチェーン１が複合スプロケット１２に巻き付くとき、全ての歯付きの内外リンクプレート６，２の歯１１の外側フランク１１ａがサイドスプロケット歯１４ａに順次連続的に接触して噛合い始めるため、噛合い開始時におけるハイブリッドチェーン１の弦振動、騒音をさらに抑制することができる。
【００３１】
ハイブリッドチェーン１を構成する内外リンクプレート６，２は、一対の歯１１，１１の両外側フランク１１ａ，１１ａが遠方側に位置する方のピン孔３又はブシュ孔７を中心とした円弧形状に形成されているので、サイドスプロケット１４と内外リンクプレート６，２との噛み合いを円滑に行わせることができると共に、ハイブリッドチェーン１が複合スプロケット１２に巻き付くとき、サイドスプロケット１４の歯１４ａに外側フランク１１ａが円弧に沿って接触し乍ら滑らかに噛み合うため、噛み合いはじめから終了まで一定した力でサイドスプロケット１４の歯１４ａに接触させることができる。
【００３２】
また、内外リンクプレート６，２の外側フランク１１ａ，１１ａが円弧形状に形成されているので、噛み合い終了時に内外リンクプレート６，２の歯１１がサイドスプロケット歯１４ａに食い込んで外れにくくならず、噛み外れを滑らかにすることができる。さらに、外側フランク１１ａが遠方側に位置する方のピン孔３又はブシュ孔７を中心とした円弧形状に形成されているので、外側フランク１１ａのサイドスプロケット歯１４ａへの円弧形状に沿う接触移動と、センタースプロケット歯１３ａに噛み合ってゆくローラ８の移動とを同期させることができる。
【００３３】
本発明の実施例２を図６（Ａ）、（Ｂ）を参照して説明する。この実施例２（請求項３に相当）のチェーン伝動装置（図示略）は、前記実施例１のチェーン伝動装置と同じように無端状のハイブリッドチェーンが複合スプロケット１２に巻掛けられてなるものであるが、実施例１のチェーン伝動装置とはハイブリッドチェーンの構造が異なるだけで、複合スプロケット１２は共通のものである。以下、実施例１のチェーン伝動装置と共通する部材には適宜同一符号を付して説明する。
【００３４】
実施例２で用いるハイブリッドチェーン（全体図の図示略）は、ハイブリッドチェーン１と外リンク５が実施例１と共通のもので、一対の歯付き外リンクプレート２（図６（Ａ）参照。）のピン孔３に連結ピン４を嵌入固定したものであるが、内リンク（図示略）は、実施例１の内リンク１０の歯付き内リンクプレート６の代わりに、通常ローラチェーンに用いる歯のない略小判形状のリンクプレート１５（図６（Ｂ）参照。）を用いたものである。内リンク（図示略）は、一対の略小判形状のリンクプレート１５のブシュ孔１６にローラ８を回転自在に遊嵌したブシュ９を嵌入固定したものである。
【００３５】
外リンクプレート２は、前記実施例１と同様に、二股状の一対の歯１１，１１を有し、この歯１１，１１は両最外に外側フランク１１ａ、１１ａ、内側に内側フランク１１ｂ，１１ｂを有し、外側フランク１１ａ，１１ａは、図６（Ａ）に示すように、一対のピン孔３，３又はブシュ孔７，７のうち遠方側に位置する方のピン孔３又はブシュ孔７を中心として半径Ｒからなる円弧形状に形成されている。要するに、実施例２で用いるハイブリッドチェーンは、歯付きの外リンクプレート２からなる外リンク５と、歯のない略小判形状のリンクプレート１５からなる内リンクとからなるものである。
【００３６】
複合スプロケット１２に巻掛けられたハイブリッドチェーンは、内リンク（図示略）の歯のない略小判形状のリンクプレート１５がサイドスプロケット１４の歯先１４ｃに非接触状態で近接して噛合いに関与しないが（図６（Ｂ）参照。）、歯付き外リンクプレート２はサイドスプロケット１４に噛み合う。
【００３７】
ハイブリッドチェーンが巻掛けられた駆動側の複合スプロケット１２が回動すると、ハイブリッドチェーンは、外リンクプレート２の歯１１がサイドスプロケット１４に噛み合って進行する。この場合、前記実施例１と同様に、外リンクプレート２は、図４，図５に示すように、進行方向後方に位置する歯１１の外側フランク１１ａがサイドスプロケット１４の歯１４ａに円弧に沿って接触し乍ら噛合い始め、ハイブリッドチェーン１が複合スプロケット１２に巻付きリンクプレート２が連結ピン４中心に屈曲し乍ら歯１１が歯底１４ｂ側に滑り込んでゆく途上で進行方向前方に位置する歯１１の外側フランク１１ａもサイドスプロケット１４の歯１４ａに接触し始める。次いで、ローラ８がセンタースプロケット１３の歯１３ａに接触し歯底１３ｂに入り込んで着座すると共に、外リンクプレート２の前方の歯１１もサイドスプロケット１４の歯底１４ｂ側に滑り込み、外リンクプレート２がサイドスプロケット１４に噛み合って着座する。
【００３８】
上記のように、ローラ８が歯底１３ｂに入り込んで着座すると共に、外リンクプレート２の歯１１は、両外側フランク１１ａ，１１ａがサイドスプロケット１４の歯１４ａに接触して着座するが、この噛合い作動中及び着座時、外リンクプレート２の両内側フランク１１ｂ，１１ｂ、クロッチ部１１ｃは、いずれもサイドスプロケット１４の歯１４ａと接触しない。
【００３９】
本発明の実施例３を図６（Ａ）、（Ｂ）を参照して説明する。この実施例３（請求項３に相当）のチェーン伝動装置（図示略）は、前記実施例１のチェーン伝動装置と同じように無端状のハイブリッドチェーンが複合スプロケット１２に巻掛けられてなるものであるが、実施例１のチェーン伝動装置とはハイブリッドチェーンの構造が異なるだけで、複合スプロケット１２は共通のものである。以下、実施例１のチェーン伝動装置と共通する部材には適宜同一符号を付して説明する。
【００４０】
実施例３で用いるハイブリッドチェーン（全体図の図示略）は、前記実施例１のハイブリッドチェーン１において、外リンク５の歯付き外リンクプレート２の代わりに、通常ローラチェーンに用いる歯のない略小判形状のリンクプレート１５（図６（Ｂ）参照。）を用いたもので、外リンク（図示略）は、略小判形状のリンクプレート１５のピン孔１７に連結ピン４を嵌入固定したものであるが、内リンクは、実施例１と共通のもので、一対の歯付き内リンクプレート６（図６（Ａ）参照。）のブシュ孔７にローラ８を回転自在に遊嵌したブシュ９を嵌入固定したものである。
【００４１】
内リンクプレート６は、二股状の一対の歯１１，１１を有し、この歯１１，１１は両最外に外側フランク１１ａ、１１ａ、内側に内側フランク１１ｂ，１１ｂを有し、外側フランク１１ａ，１１ａは、図６（Ａ）に示すように、一対のピン孔３，３又はブシュ孔７，７のうち遠方側に位置する方のピン孔３又はブシュ孔７を中心として半径Ｒからなる円弧形状に形成されている。要するに、実施例３で用いるハイブリッドチェーンは、歯付きの内リンクプレート６からなる内リンク１０と、歯のない略小判形状のリンクプレート１５からなる外リンクとからなるものである。
【００４２】
複合スプロケット１２に巻掛けられたハイブリッドチェーンは、内リンク１０の歯付き内リンクプレート６がサイドスプロケット１４に噛み合うが、外リンク（図示略）の歯のない略小判形状のリンクプレート１５はサイドスプロケット１４の歯先１４ｃに非接触状態で近接している（図６（Ｂ）参照。）。
【００４３】
ハイブリッドチェーンが巻掛けられた駆動側の複合スプロケット１２が回動すると、ハイブリッドチェーンは、内リンクプレート６の歯１１がサイドスプロケット１４に噛み合って進行する。この場合、内リンクプレート６は、進行方向後方に位置する歯１１の外側フランク１１ａがサイドスプロケット１４の歯１４ａに円弧に沿って接触し乍ら噛合い始め、ハイブリッドチェーンが複合スプロケット１２に巻付きリンクプレート６が連結ピン４中心に屈曲し乍ら歯１１が歯底１４ｂ側に滑り込んでゆく途上で進行方向前方に位置する歯１１の外側フランク１１ａもサイドスプロケット１４の歯１４ａに接触し始める。次いで、ローラ８がセンタースプロケット１３の歯１３ａに接触し歯底１３ｂに入り込んで着座すると共に、内リンクプレート６の前方の歯１１も歯底１３ｂに滑り込み、内リンクプレート６がサイドスプロケット１４に噛み合って着座する。このとき、歯のない略小判形状のリンクプレート１５は、サイドスプロケット１４の歯先１４ｃに非接触状態で近接して進行し噛合いに関与せず、また、この噛合い作動中及び着座時、内リンクプレート６の両内側フランク１１ｂ，１１ｂ、クロッチ部１１ｃは、いずれもサイドスプロケット１４の歯１４ａと接触しない。
【００４４】
以上、実施例２、実施例３として、チェーン伝動装置のハイブリッドチェーンの構成、噛合い作動について説明したが、その作用効果は、前記実施例１のチェーン伝動装置が奏する効果（段落番号００２８〜００３２参照。）に加えて、ハイブリッドチェーンを構成する外リンク及び内リンクの各リンクのうち、いずれか一方のリンクを構成するリンクプレートが歯付きリンクプレート（２，６）であり、他方のリンクを構成するリンクプレートが歯を備えていない略小判形状のリンクプレート１５であるから、リンクプレートとして歯のない略小判形状のリンクプレート１５を用いることにより、ハイブリッドチェーンのさらなる軽量化を図ることができる。
【００４５】
本発明の実施例４を図６（Ａ），（Ｂ），（Ｃ）を参照して説明する。この実施例４（請求項４に相当）のチェーン伝動装置（図示略）は、前記実施例１〜３のチェーン伝動装置と同じように無端状のハイブリッドチェーンが複合スプロケット１２に巻掛けられてなるものであるが、実施例１〜３のチェーン伝動装置とハイブリッドチェーンの構造が異なるだけで、複合スプロケット１２は共通のものである。以下、実施例１〜３のチェーン伝動装置と共通する部材には適宜同一符号を付して説明する。
【００４６】
この実施例４のハイブリッドチェーンは、前記実施例１〜３のハイブリッドチェーンの歯付きリンクプレートとして、図６（Ｃ）に示すような、背面側にも一対の歯１１，１１を備えた両面歯付きリンクプレート１８を用いたものである。この背面側に設けられた二股状の一対の歯１１，１１も、前記各実施例の歯付きリンクプレートと同じように、両最外に外側フランク１１ａ、１１ａ、内側に内側フランク１１ｂ，１１ｂを有し、外側フランク１１ａ，１１ａは、図６（Ｃ）に示すように、一対のピン孔３，３又はブシュ孔７，７のうち遠方側に位置する方のピン孔３又はブシュ孔７を中心として半径Ｒからなる円弧形状に形成されている。
【００４７】
この背面側にも一対の歯１１，１１を備えた両面歯付きリンクプレート１８を有するハイブリッドチェーンは、複合スプロケット１２にチェーンの背面側でも噛み合わせて動力を伝達することが可能となり、複合スプロケット１２に噛み合う作動、及びその奏する効果は前記各実施例のものと同等である。
【図面の簡単な説明】
【００４８】
【図１】本発明実施例１におけるチェーン伝動装置に用いるハイブリッドチェーンの要部を断面で示した一部平面図である。
【図２】図２は複合スプロケットの正面図である。
【図３】チェーン伝動装置の一部を示し、ハイブリッドチェーンの噛合い状態を示す斜視図である。
【図４】ハイブリッドチェーンの噛合い状態の説明図である。
【図５】図５は図４におけるＭ部分の拡大図である。
【図６】本発明のチェーン伝動装置で用いるリンクプレートを示し、（Ａ）は歯付きのリンクプレート、（Ｂ）は歯のない略小判形状のリンクプレート、（Ｃ）は両面歯付きのリンクプレートの側面図である。
【図７】従来のチェーン伝動装置に用いる複合チェーンの一部平面図である。
【符号の説明】
【００４９】
１      ハイブリッドチェーン          ２      外リンクプレート
３      ピン孔                        ４      連結ピン
５      外リンク                      ６      内リンクプレート
７      ブシュ孔                      ８      ローラ
９      ブシュ                        １０    内リンク
１１    リンクプレートの歯            １１ａ  外側フランク
１１ｂ  内側フランク                  １１ｃ  クロッチ部
１２    複合スプロケット              １３    センタースプロケット
１３ａ  センタースプロケットの歯      １３ｂ  歯底
１４    サイドスプロケット            １４ａ  サイドスプロケットの歯
１４ｂ  歯底                          １４ｃ  歯先
１５    略小判形状のリンクプレート    １６    ブシュ孔
１７    ピン孔                        １８    両面歯付きリンクプレート
【図１】
2009103185.tif 000003
【図２】
2009103185.tif 000004
【図３】
2009103185.tif 000005
【図４】
2009103185.tif 000006
【図５】
2009103185.tif 000007
【図６】
2009103185.tif 000008
【図７】
2009103185.tif 000009